(57)【要約】  本技術の一形態に係る防塵装置は、ベース部と、カバー部とを具備する。前記ベース部は、外部の取付部に接続される接続部と、画像表示装置を保持する保持部とを有する。前記カバー部は、吸気口と、前記吸気口に設けられるフィルタ部と、前記吸気口から吸入された空気を排出する排気口とを有し、前記保持部に保持された前記画像表示装置を覆うように、前記ベース部に取付けられる。
2017098677.tif 000002
【特許請求の範囲】
【請求項１】
外部の取付部に接続される接続部と、画像表示装置を保持する保持部とを有するベース部と、
吸気口と、前記吸気口に設けられるフィルタ部と、前記吸気口から吸入された空気を排出する排気口とを有し、前記保持部に保持された前記画像表示装置を覆うように、前記ベース部に取付けられるカバー部と
を具備する防塵装置。
【請求項２】
請求項１に記載の防塵装置であって、さらに、
前記排気口に設けられるファン部を具備する
防塵装置。
【請求項３】
請求項１に記載の防塵装置であって、さらに、
前記画像表示装置を覆うように前記ベース部に前記カバー部が取付けられることで形成される内部空間を、第１の領域、及びこれと異なる第２の領域に分割する分割部を具備し、
前記吸気口は、前記第１の領域に前記空気を吸入する第１の吸気領域と、前記第２の領域に前記吸気を吸入する第２の吸気領域とを有し、
前記フィルタ部は、前記吸気口の前記第１の吸気領域に設けられる
防塵装置。
【請求項４】
請求項３に記載の防塵装置であって、
前記画像表示装置は、光源を含む光学系に前記空気を供給するための第１の供給口と、前記光源を冷却するための冷却部に前記空気を供給するための第２の供給口とを有し、
前記分割部は、前記第１の供給口が前記第１の領域に含まれ、前記第２の供給口が前記第２の領域に含まれるように、前記第１及び前記第２の領域を互いに分割する
防塵装置。
【請求項５】
請求項４に記載の防塵装置であって、
前記フィルタ部は、前記吸気口から取り外し可能に構成され、
前記第１の吸気領域は、前記第１の供給口に対向して配置され、
前記第２の吸気領域は、前記第２の供給口に対向して配置される
防塵装置。
【請求項６】
請求項１に記載の防塵装置であって、
前記ベース部は、開口と、前記画像表示装置に接続される１以上のケーブルを外部に引き出すための引出口が形成されるように、外部側から前記開口を覆う開口カバーと、前記引出口に設けられる防塵構造部とを有する
防塵装置。
【請求項７】
請求項６に記載の防塵装置であって、
前記引出口は、前記開口の一部の周縁部と、前記開口カバーの前記一部の周縁部に対向する対向部の間に形成され、
前記防塵構造部は、前記一部の周縁部に設けられ、前記１以上のケーブルの各々を挟む１以上のスリットを有する保持側クッション部材と、前記開口カバーの前記対向部に設けられ、前記保持側クッション部材に密着する密着側クッション部材とを有する
防塵装置。
【請求項８】
請求項７に記載の防塵装置であって、
前記保持側クッション部材は、
略直方体の形状を有し、上面から下面に向けて形成され長手方向に並び短手方向に延在する前記１以上のスリットを有し、前記短手方向が前記前記引出口から外部へ向かう方向に合わせられて配置された第１の保持側クッションと、
長手方向の大きさが前記第１の保持側クッションと略等しい略直方体の形状を有し、前記第１の保持側クッションの外部側の側面に沿うように隣接して配置された第２の保持側クッションとを有し、
前記密着側クッション部材は、前記第１及び前記第２の保持側クッションの各々の上面に密着する
防塵装置。
【請求項９】
請求項８に記載の防塵装置であって、
前記第２の保持側クッションの前記上面の高さは、前記第１の保持側クッションの前記上面の高よりも低く、前記第１の保持側クッションに形成された前記１以上のスリットの下端の高さよりも高い
防塵装置。
【請求項１０】
請求項１に記載の防塵装置であって、
前記カバー部は、１以上の係合部を有し、
前記ベース部は、前記１以上の係合部と係合して前記カバー部を仮止めする１以上の仮止部を有する
防塵装置。
【請求項１１】
請求項１０に記載の防塵装置であって、
前記仮止部は、
前記係合部と係合する係合面と前記係合部に押圧される押圧面とを有し所定の方向に向けて突出する突出部を含む第１の部材と、
前記第１の部材の所定の位置にて、前記押圧面が押圧された際に前記突出部が前記所定の方向とは反対方向に移動可能に、また前記係合部による押圧が解除した際に前記係合面が前記係合部に係合するように前記突出部を前記所定の方向に移動可能に、前記第１の部材を支持する第２の部材とを有する
防塵装置。
【請求項１２】
請求項１１に記載の防塵装置であって、
前記第１の部材は、押圧することで、前記係合部と係合する前記突出部を前記所定の方向とは反対側に移動させることが可能な係合解除部を有する
防塵装置。
【請求項１３】
請求項１に記載の防塵装置であって、さらに、
前記排気口に設けられるファン部と、前記ファン部の駆動を制御する制御部と、前記吸気口の付近の前記空気の第１の温度、及び前記排気口の付近の前記空気の第２の温度をそれぞれ測定可能なセンサ部とを具備し、
前記制御部は、前記センサ部により測定された前記第１及び前記第２の温度の差をもとに、前記ファン部の駆動を制御する
防塵装置。
【請求項１４】
請求項１に記載の防塵装置であって、
前記カバー部は、前記画像表示装置の投射部を覆う、開閉可能に設けられる投射カバー部を有する
防塵装置。
【請求項１５】
画像表示装置と、
外部の取付部に接続される接続部と、前記画像表示装置を保持する保持部とを有するベース部と、
吸気口と、前記吸気口に設けられるフィルタ部と、前記吸気口から吸入された空気を排出する排気口とを有し、前記保持部に保持された前記画像表示装置を覆うように、前記ベース部に取付けられるカバー部と
を有する防塵装置と
を具備する画像表示システム。
【請求項１６】
防塵装置のベース部の保持部に画像表示装置を保持させ、
前記ベース部の接続部を外部の取付部に接続し、
吸気口と、前記吸気口に設けられるフィルタ部と、前記吸気口から吸入された空気を排出する排気口とを有する前記防塵装置のカバー部を、前記保持部に保持された前記画像表示装置を覆うように前記ベース部に取付ける
取付方法。
【発明の詳細な説明】
【技術分野】
【０００１】
本技術は、プロジェクタ等への塵埃等の影響を防ぐ防塵装置、当該防塵装置と画像表示装置とを含む画像表示システム、及びこれらの取付方法に関する。
【背景技術】
【０００２】
特許文献１には、その図１に示されるように、劣悪な環境下に設置されたプロジェクタ３への塵埃や煤煙等の影響を防止するためのフィルタ装置２について記載されている。フィルタ装置２は、フィルタユニット１４に覆われた吸気窓１０、プロジェクタ３に冷却空気を吹き付けるファン１５、及びプロジェクタ３の排気口６の正面に配置される排気窓１１がそれぞれ設けられた外部筐体１３を有する。当該外部筐体１３にプロジェクタ３が設置され、これらが天吊り具に接続された蓋板部（ともに符号なし）に取付けられる（明細書段落［００１３］［００１７］［００２３］等）。
【先行技術文献】
【特許文献】
【０００３】
【特許文献１】特開２００３−１６２００５号公報
【発明の概要】
【発明が解決しようとする課題】
【０００４】
このような防塵装置が画像表示装置に取付けられる場合には、高い防塵効果に加え、これらを天井等に設置する際の作業性が高いことが求められる。【０００５】
以上のような事情に鑑み、本技術の目的は、天井等への設置に関して高い作業性を発揮可能な防塵装置、画像表示システム、及び取付方法を提供することにある。
【課題を解決するための手段】
【０００６】
上記目的を達成するため、本技術の一形態に係る防塵装置は、ベース部と、カバー部とを具備する。
前記ベース部は、外部の取付部に接続される接続部と、画像表示装置を保持する保持部とを有する。
前記カバー部は、吸気口と、前記吸気口に設けられるフィルタ部と、前記吸気口から吸入された空気を排出する排気口とを有し、前記保持部に保持された前記画像表示装置を覆うように、前記ベース部に取付けられる。【０００７】
この防塵装置では、ベース部に画像表示装置を保持する保持部が設けられ、当該保持部に画像表示装置が保持された状態で、カバー部がベース部に取付けられる。従ってまず画像表示装置が保持された状態のベース部を天井等に設置し、その後カバー部を取付けることが可能となる。この結果、天井等への設置に関して高い作業性を発揮することができる。【０００８】
前記防塵装置は、さらに、前記排気口に設けられるファン部を具備してもよい。
これにより高い冷却効果を発揮することが可能となる。【０００９】
前記防塵装置は、さらに、前記画像表示装置を覆うように前記ベース部に前記カバー部が取付けられることで形成される内部空間を、第１の領域、及びこれと異なる第２の領域に分割する分割部を具備してもよい。この場合、前記吸気口は、前記第１の領域に前記空気を吸入する第１の吸気領域と、前記第２の領域に前記吸気を吸入する第２の吸気領域とを有してもよい。また前記フィルタ部は、前記吸気口の前記第１の吸気領域に設けられてもよい。
この防塵装置では、内部空間が、フィルタ部により塵埃等が除去された清浄な空気が吸入される第１の領域と、フィルタ部を介さない空気が吸入される第２の領域とに分割される。これにより内部空間の全体に清浄な空気を吸入する場合と比べて、フィルタ部の負担を軽減することが可能となる。【００１０】
前記画像表示装置は、光源を含む光学系に前記空気を供給するための第１の供給口と、前記光源を冷却するための冷却部に前記空気を供給するための第２の供給口とを有してもよい。この場合、前記分割部は、前記第１の供給口が前記第１の領域に含まれ、前記第２の供給口が前記第２の領域に含まれるように、前記第１及び前記第２の領域を互いに分割してもよい。
これにより光学系には、フィルタ部を通った清浄な空気が供給されることになり、塵埃等の影響による輝度の低下等を十分に抑制することが可能となる。【００１１】
前記フィルタ部は、前記吸気口から取り外し可能に構成されてもよい。この場合、前記第１の吸気領域は、前記第１の供給口に対向して配置されてもよい。また前記第２の吸気領域は、前記第２の供給口に対向して配置されてもよい。
これによりフィルタ部を取り外すことで、第１の吸気領域に対向する位置にある第１の供給口に簡単にアクセスすることが可能となる。この結果、例えば第１の供給口に設けられるフィルタの交換等を簡単に行うことが可能となる。【００１２】
前記ベース部は、開口と、前記画像表示装置に接続される１以上のケーブルを外部に引き出すための引出口が形成されるように、外部側から前記開口を覆う開口カバーと、前記引出口に設けられる防塵構造部とを有してもよい。
これにより引出口から塵埃等が侵入することを防止することが可能となり、高い防塵効果を発揮することができる。【００１３】
前記引出口は、前記開口の一部の周縁部と、前記開口カバーの前記一部の周縁部に対向する対向部の間に形成されてもよい。この場合、前記防塵構造部は、前記一部の周縁部に設けられ、前記１以上のケーブルの各々を挟む１以上のスリットを有する保持側クッション部材と、前記開口カバーの前記対向部に設けられ、前記保持側クッション部材に密着する密着側クッション部材とを有してもよい。
保持側クッション部材のスリットにケーブルを挟み、密着側クッション部材を密着させることで、高い防塵効果を発揮することが可能となる。【００１４】
前記保持側クッション部材は、第１の保持側クッションと、第２の保持側クッションとを有してもよい。
前記第１の保持側クッションは、略直方体の形状を有し、上面から下面に向けて形成され長手方向に並び短手方向に延在する前記１以上のスリットを有し、前記短手方向が前記前記引出口から外部へ向かう方向に合わせられて配置される。
前記第２の保持側クッションは、長手方向の大きさが前記第１の保持側クッションと略等しい略直方体の形状を有し、前記第１の保持側クッションの外部側の側面に沿うように隣接して配置される。
この場合、前記密着側クッション部材は、前記第１及び前記第２の保持側クッションの各々の上面に密着してもよい。
スリットが形成された第１の保持側クッションの外部側の側面に第２の保持側クッションを隣接させ、これらの上面に第２の保持側クッション部材を密着させることで、高い防塵効果を発揮することが可能となる。【００１５】
前記第２の保持側クッションの前記上面の高さは、前記第１の保持側クッションの前記上面の高よりも低く、前記第１の保持側クッションに形成された前記１以上のスリットの下端の高さよりも高くてもよい。
これによい高い防塵効果を発揮することが可能となる。【００１６】
前記カバー部は、１以上の係合部を有してもよい。この場合、前記ベース部は、前記１以上の係合部と係合して前記カバー部を仮止めする１以上の仮止部を有してもよい。
これにより天井等に設置されたベース部（画像表示装置を保持した状態）に対して、カバー部を仮止めすることが可能である。この結果、カバー部の落下を防止しつつ安全にベース部に取付けることが可能となる。【００１７】
前記仮止部は、第１の部材と、第２の部材とを有してもよい。
前記第１の部材は、前記係合部と係合する係合面と前記係合部に押圧される押圧面とを有し所定の方向に向けて突出する突出部を含む。
前記第２の部材は、前記第１の部材の所定の位置にて、前記押圧面が押圧された際に前記突出部が前記所定の方向とは反対方向に移動可能に、また前記係合部による押圧が解除した際に前記係合面が前記係合部に係合するように前記突出部を前記所定の方向に移動可能に、前記第１の部材を支持する。
これによりカバー部の係合部が突出部の押圧面を押圧するようにカバー部をベース部に近づけることで、自動的に仮止め状態となる。この結果、設置に関する作業性が大幅に向上する。【００１８】
前記第１の部材は、押圧することで、前記係合部と係合する前記突出部を前記所定の方向とは反対側に移動させることが可能な係合解除部を有してもよい。
係合解除部を押圧することで、簡単に仮止め状態を解除することが可能となる。【００１９】
前記防塵装置は、さらに、前記排気口に設けられるファン部と、前記ファン部の駆動を制御する制御部と、前記吸気口の付近の前記空気の第１の温度、及び前記排気口の付近の前記空気の第２の温度をそれぞれ測定可能なセンサ部とを具備してもよい。この場合、前記制御部は、前記センサ部により測定された前記第１及び前記第２の温度の差をもとに、前記ファン部の駆動を制御してもよい。
これにより画像表示装置の駆動に応じてファン部を駆動させることが可能となり、消費電力の節約や騒音の抑制を実現することができる。【００２０】
前記カバー部は、前記画像表示装置の投射部を覆う、開閉可能に設けられる投射カバー部を有してもよい。
投射カバー部を開けることで簡単に投射部にアクセスすることが可能となり、また投射カバー部の内側の掃除等も簡単に実行可能となる。【００２１】
本技術の一形態に係る画像表示システムは、画像表示装置と、前記防塵装置とを具備する。【００２２】
本技術の一形態に係る取付方法は、防塵装置のベース部の保持部に画像表示装置を保持させることを含む。
前記ベース部の接続部が外部の取付部に接続される。
吸気口と、前記吸気口に設けられるフィルタ部と、前記吸気口から吸入された空気を排出する排気口とを有する前記防塵装置のカバー部が、前記保持部に保持された前記画像表示装置を覆うように前記ベース部に取付けられる。
【発明の効果】
【００２３】
以上のように、本技術によれば、天井等への設置に関して高い作業性を発揮することが可能となる。なお、ここに記載された効果は必ずしも限定されるものではなく、本開示中に記載されたいずれかの効果であってもよい。
【図面の簡単な説明】
【００２４】
【図１】本技術の一実施形態に係る画像表示システムの外観例を示す概略図である。
【図２】画像表示システムの防塵装置のトップカバーの一部を省略した図である。
【図３】画像表示装置の構成例を示す概略図である。
【図４】防塵装置のベース部及びトップカバーの各々の構成例を示す図である。
【図５】画像表示装置が保持された状態で設置面側を上方に向けた状態の図である。
【図６】引出口に設置される防塵構造部の構成例を示す概略図である。
【図７】トップカバーの構成例を示す概略図である。
【図８】フィルタブロックの構成例を示す概略図である。
【図９】分割クッション部の構成例を示す概略図である。
【図１０】分割クッション部の構成例を示す概略図である。
【図１１】清浄空気エリア及び通常空気エリアの位置の一例を示す概略図である。
【図１２】トップカバーに設けられる係合部、及びベース部に設けられる仮止機構の各々の構成例を示す概略図である。
【図１３】仮止機構の支持部材及び可動部材の構成例を示す概略図である。
【図１４】係合部と仮止機構とが係合して仮止めされる際の動作例を示す模式図である。
【発明を実施するための形態】
【００２５】
以下、本技術に係る実施形態を、図面を参照しながら説明する。
【００２６】
［画像表示システムの構成］
図１は、本技術の一実施形態に係る画像表示システムの外観例を示す概略図である。図２は、画像表示システムの防塵装置のトップカバーの一部を省略した図である。図１及び図２に示すように、画像表示システム１００は、防塵装置１０と、防塵装置１０に収容される画像表示装置２０とを含む。
【００２７】
図１Ａに示すように、画像表示システム１００は、天井１に設置された状態で使用される。以下、画像が投射される投射側から見て、幅方向、奥行き方向、及び高さ方向を定める。また投射側から見て、画像表示システム１００の各面を、前方面１０１ａ、後方面１０１ｂ、右側面１０１ｃ、左側面１０１ｄ、下面１０１ｅ、及び設置面１０１ｆとする。またこれら面が位置する側を、それぞれ前方側、後方側、右側、左側、下側、及び上側として、説明を行う。
【００２８】
図１Ｂは、画像表示システム１００を、設置面１０１ｆ側（上側）から見た図である。防塵蔵置１０は、板状部のベース部４０と、ベース部４０に取付けられるトップカバー７０とを有する。トップカバー７０がベース部４０に取付けられることで、図２に示す画像表示装置２０が収容される内部空間が形成される。トップカバー７０は、本実施形態においてカバー部に相当する。
【００２９】
上記した設置面１０１ｆはベース部４０の一部となり、前方面１０１ａ、後方面１０１ｂ、右側面１０１ｃ、左側面１０１ｄ、及び下面１０１ｅは、トップカバー７０の一部となる。図２Ａ及びＢに示すように、ベース部４０の設置面１０１ｆとは反対側の支持面４２（図４等も参照）上に、画像表示装置２０が配置される。そして画像表示装置２０を覆うように、トップカバー７０がベース部４０に取付けられる。
【００３０】
トップカバー７０の左側面１０１ｄには、吸気口７１が形成される。またトップカバー７０の右側面１０１ｃには、吸気口７１から吸入された空気を排出する排気口７３が形成される。図２Ｂに示すように、吸気口７１には、ファン機構４５が設けられる。ファン機構４５が動作することで、吸気口７１から外部の空気が冷却風として吸入され、画像表示装置２０の内部に供給される。画像表示装置２０の内部を冷却して暖かくなった空気は、排気口７３から外部に排出される。
【００３１】
図３は、画像表示装置２０の構成例を示す概略図である。画像表示装置２０は、例えばプレゼンテーション用、デジタルシネマ用、その他種々の用途に用いられるプロジェクタである。その他の画像表示装置にも、本技術は適用可能である。
【００３２】
画像表示装置２０は、防塵装置１０を取付けることなく、単体でも使用可能である。また画像表示装置２０は、チルトフリー設計となっており、上下の向きを反対にして使用可能である。例えば画像表示装置２０が天井１に設置される場合には、上下の向きを反対にして使用される。本実施形態のように防塵装置１０とともに天井１に設置される場合も、上下の向きは反対にされる。
【００３３】
天井１に設置された状態を基準として、画像表示装置２０の各面を、前方面２１ａ、後方面２１ｂ、右側面２１ｃ、左側面２１ｄ、下面２１ｅ、及び設置面２１ｆと記載する。前方面２１ａの中央部分には、画像を投射するための投射レンズ２２を含む投射部２３が設置される。また前方面２１ａには、インジケータ２４やリモコン制御のためのＩＲ（赤外線）受信部２５が設けられる。なおＩＲ受信部２５は、後方面２１ｂにも設置される。また設置面２１ｆの略中央には、ベース部４０に設置される接続金具５１との接続用のネジ孔３５、及びベース部４０のガイド金具５６と係合する取付孔２６が形成されている。
【００３４】
左側面２１ｄには、画像表示装置２０の内部に空気を吸入するための吸気口２７が設けられる。右側面２１ｃには、暖められた空気を排出するための排気口２８（図２Ｂ参照）が設けられる。吸気口２７にはフィルタが設けられ、排気口２８にはファン機構が設けられる。
【００３５】
図３Ｂに示すように、設置面２１ｆの中央から左側面２１ｄにかけて凹部２９が形成されており、凹部２９の側面２９ａには、電源ケーブル、ＤＶＩ端子ケーブル又はＨＤＭＩ（登録商標）端子ケーブル等が接続可能な複数の端子３０が設置される。なお図中では端子が設置される孔のみが図示されており、当該孔に端子３０の符号が付されている。凹部２９の側面２９ａの奥側（右側面２１ｃ側）や凹部２９の底面２９ｂの下側（下面２１ｅ側）が、画像表示装置２０の内部空間となる。底面２９ｂは、吸気口２７の上部側に接続されており、吸気口２７を通る空気は、底面２９ｂの下方を通って、画像表示装置２０の内部を進む。
【００３６】
画像表示装置２０の内部には、例えばレーザ光源等を含む光源部、照明光学系、液晶パネル等の光調素子（ともに図示省略）、及び投射部２３等が構成されている。光源部は、白色光を生成して照明光学系に出射する。照明光学系は、白色光をＲＧＢの各色光に分割し、各色用の光変調素子に導く。光変調素子は、外部から入力される画像情報をもとに、ＲＧＢの各色光を変調する。各色の変調光（画像光）は、照明光学系が有するダイクロイックプリズム等により合成され、投射部２３に出射される。投射部２３は、投射レンズ２２等により、合成された画像光をスクリーン等に投射する。これによりカラー画像が生成される。光源部や照明光学系等の具体的な構成は限定されない。また画像を生成するための他の構成が採用されてもよい。
【００３７】
本実施形態では、光源から投射レンズ２２までの光学系が、画像表示装置２０内の所定の領域に収容されて構成されている。当該領域は、光路上に塵埃等が侵入しないように、周囲が筐体構造体（図示省略）により囲まれている。一方、当該領域から空間的に隔てられた領域の、光源部の背後にあたる位置には、光源から発生する熱を冷却するためにヒートシンク等の冷却部が配置される。レーザ光源が用いられる場合には、高輝度化が実現するが、熱の処理が重要となる。すなわち光源を冷却する冷却部の熱を、効率的に冷却することが重要となる。
【００３８】
図３Ａ及びＢに示すように、吸気口２７には、光学系に空気を供給するための第１の供給口２７ａと、冷却部に空気を供給するための第２の供給口２７ｂとが設けられる。左側面２１ｄの略中央部分が第１の供給口２７ａとなり、後方側の部分が第２の供給口２７ｂとなる。吸気口２７が第１及び第２の供給口２７ａ及び２７ｂに分割されているともいえる。
【００３９】
第１の供給口２７ａは、光学系を収容する領域に連通されている。光学系に塵埃等が侵入すると、輝度の低下等の不具合につながる可能性が高くなるので、ここには清浄な空気を供給する必要がある。従って第１の供給口２７ａにはフィルタ（図示省略）が設けられる。
【００４０】
フィルタの外部側には、ロック機構３２を操作することで取外し可能なフィルタカバー３３が装着される。フィルタの交換時には、フィルタカバー３３が取外される。なお凹部２９は、後に説明する防塵装置１０の開口カバー５２により覆われるので、凹部２９の側面２９ａ等から塵埃等が侵入することはない。光学系に供給された冷却風は、ファン機構の近傍に設置された排出側の流路孔から排出され、そのまま排気口２８から排出される。
【００４１】
一方、ヒートシンク等の冷却部には、塵埃を含む空気が供給されてもよい。当該空気は、光学系を収容する領域に侵入することはないからである。従って第２の供給口２７ｂには、フィルタが設けられない。また取外し可能なカバーも設けられず、庇状の羽根３４が固定されている。フィルタが設けられないので、第２の供給口２７ｂから流入する空気の流量が制限されることがない。これにより冷却風を高い流量で供給することが可能となり、冷却部を効率的に冷却することが可能となる。第２の供給口２７ｂから供給された空気は、ファン機構により、排気口２８から排出される。
【００４２】
図４は、防塵装置１０のベース部４０及びトップカバー７０の各々の構成例を示す図である。図４Ａに示すベース部４０は、画像表示装置２０を支持する支持面４２が上向きとなるように図示されている。
【００４３】
図４Ａに示すように、ベース部４０は、高さ方向から見て略矩形状を有する。ベース部４０は、例えば約６５０ｍｍ四方のサイズを有し、材料としては例えばアルミニウム等の金属材料が用いられる。ベース部４０のサイズ及び材料は限定されず、適宜設定されてよい。ベース部４０の周囲の４辺部を、トップカバー７０の各面の名称に合わせて、前辺部４１ａ、後辺部４１ｂ、右辺部４１ｃ、及び左辺部４１ｄと記載する。
【００４４】
ベース部４０の支持面４２側には、画像表示装置２０を保持する保持機構（保持部）４３、開口４４、ファン機構４５、制御部４６、センサ保持部４７、センサ部４８、仮止機構４９、ガイド板５０、及び空気分離部５７が設けられる。図１Ｂに示す設置面１０１ｆ側には、天吊り金具２（図５Ａ参照）と接続される接続金具５１、外部側から開口４４を覆う開口カバー５２、防塵構造部５３（図６参照）、設置面１０１ｆ側を地面に載置する際の支持脚５４、及びＡＣアダプタ５５が設置される。
【００４５】
保持機構４３は、設置面１０１ｆ側に設置される接続金具５１と、支持面４２の略中央に設置されたガイド金具５６とを有する。図１Ｂに示すように、接続金具５１には、三角形の各頂点の位置に、ネジ孔が形成されたボス６６が設けられる。図４Ａに示すように、接続金具５１が設置されると、ボス６６が支持面４２を貫通して突出する。ボス６６と図３Ｂに示すネジ孔３５が合わせられネジ止めされることで、ベース部４０に画像表示装置２０が取付けられる。三角形の各頂点に位置する３点にてネジ止めされることで、安定して、画像表示装置２０を保持することが可能となる。ガイド金具５６は、ベース部４０と画像表示装置２０との組み立て時のガイドをする部品である。
【００４６】
空気分離部５７は、略Ｕ字形状を有し、後辺部２１ｂに沿って設置された底面分離部５７ａと、その両端から垂直方向に延在する２つの側面分離部５７ｂ及び５７ｃとを有する。空気分離部５７は、本実施形態において、分割部の一部として機能するが、この点については、後に詳しく説明する。
【００４７】
空気分離部５７は、例えばＡＢＳ（アクリロニトリル・ブタジエン・スチレン）樹脂等の汎用樹脂、ＰＣ（ポリカーボネート）樹脂、ＡＢＳとＰＣの混合樹脂等のエンジニアリングプラスチック等からなる。これに限定されず、例えばアルミニウム等の金属材料が用いられてもよい。
【００４８】
空気分離部５７は、画像表示装置２０の後方側の部分を保持する（図９等参照）。その際には、スポンジやウレタン等からなるクッション部材により、空気分離部５７と画像表示装置２０との間が密閉される。クッション部材に代わる密閉部材として、ゴム等の弾性部材が用いられてもよい。なおクッション部材は、空気分離部５７全体に予め形成されていてもよい。あるいは、保持される画像表示装置２０側に、組み立て時に装着されてもよい。
【００４９】
ファン機構４５は、右辺部４１ｃに沿って配置され、ファン保持部４５ａ、及び３つのファン５８（図９Ｂ参照）を有する。ファン保持部４５ａは、空気分離部５７の右側の側面分離部５７ｂよりも前方側に、支持面４２から垂直方向に立ち上がって設けられる。ファン保持部４５ａは、例えばＡＢＳ等の樹脂材料（プラスチック）や金属材料等からなる。ファン機構４５は、本実施形態において、ファン部に相当する。
【００５０】
ファン保持部４５ａの下方側から、各ファンに接続されるケーブルが制御部４６に向けて配線される。またファン保持部４５ａの前方側には、ファン５８の駆動状態を示すインジケータとなるＬＥＤ５９が配置される。当該ＬＥＤ５９からも制御部４６に向けてケーブルが配線される。
【００５１】
制御部４６は、後辺部４１ｂ及び左辺部４２ｄに挟まれた角に形成される。制御部４６は、空気分離部５７の左側の側面分離部５７ｃの後方側のスペースに配置される。制御部４６は、カバー４６ａとカバー内に収容された図示しない基板を有する。基板には、電源回路、ファン５８やＬＥＤ５９等を制御する制御回路等が形成されている。
【００５２】
これらの回路は、例えば所定のＩＣ（集積回路）や、ＣＰＵ、メモリ（ＲＡＭ、ＲＯＭ）、Ｉ／Ｏ等が１チップに収められたマイコン（マイクロコンピュータ）により実現される。またＦＰＧＡ（Field Programmable Gate Array）等のＰＬＤ(Programmable Logic Device)、その他ＡＳＩＣ（Application Specific Integrated Circuit）等のデバイスが用いられてもよい。
【００５３】
制御部４６には、図１Ｂに示す設置面１０１ｆに設けられたＡＣアダプタ５５が接続される。ＡＣアダプタ５５には、図示しないコンセントケーブルが接続され、天井１等に設置されたコンセントに接続される。制御部４６は、当該ＡＣアダプタ５５を介して電力を受け取り、種々の動作を実行する。
【００５４】
センサ部４８は、左辺部４１ｄの近傍に配置される第１の温度センサ４８ａと、右辺部４１ｃの近傍に配置される第２の温度センサ４８ｂとを有する。各温度センサとしては、周知のものを含めて任意のものが用いられてもよい。また第１及び第２の温度センサ４８ａ及び４８ｂとして、同じ温度センサが用いられてもよいし、異なる種類の温度センサが用いられてもよい。
【００５５】
図４Ａに示すように、左辺部４１ｄの後方側に、制御部４６に隣接して、板状のセンサ保持部４７が設置される。垂直方向に立ち上がって構成されたセンサ保持部４７の先端に、第１の温度センサ４８ａが設置される。一方、第２の温度センサ４８ｂは、右辺部４１ｃの後方側に配置され、ファン保持部４５ａに設置される。支持面４２から見て、第１及び第２の温度センサ４８ａ及び４８ｂは、互いに略等しい高さに設定される。もちろんこれに限定されず、温度感知性に応じて設置位置を異ならせてもよい。各温度センサ４８ａ及び４８ｂからは制御部４６に向けてケーブルが配線される。
【００５６】
第１の温度センサ４８ａは、トップカバー７０の吸気口７１の付近の第１の温度を測定する。第２の温度センサ４８ｂは、トップカバー７０の排気口７３の付近の第２の温度を測定する。制御部４６は、第１及び第２の温度の差をもとに、ファン５８の駆動を制御する。具体的には、第１及び第２の温度の差が、所定の閾値よりも大きい場合には、画像表示装置２０が駆動していると判定し、ファン５８の駆動を開始する。
【００５７】
画像表示装置２０の駆動に応じてファン５８を駆動させることができるので、必要のない時に無駄にファン５８を駆動させてしまうことを防止することができる。この結果、消費電力を節約することが可能となり、また騒音の発生を防止することが可能となる。
【００５８】
またセンサ部４８を構成することで、制御部４６と画像表示装置２０とが電気的に接続されていなくても、画像表示装置２０の駆動状態を判定することができる。この結果、制御部４６と画像表示装置２０とを接続するための機構等を省略することが可能となり、コストを抑えることができる。また接続作業を省略することが可能となり、防塵装置１０の取付けに関する作業性を向上させることができる。なお温度センサを１つだけ設置し、測定温度が所定の閾値よりも大きい場合に、ファン５８を駆動させてもよい。
【００５９】
図４Ａに示すように、制御部４６に、ＤＶＩ端子等のコネクタ４６ｂを設け、制御部４６と画像表示装置２０とが電気的に接続可能であってもよい。この場合、直接的に、画像表示装置２０の駆動状態を検出することが可能となり、ファン５８の駆動のタイミングを正確に検知することが可能となる。
【００６０】
ガイド板５０は、後辺部４１ｂ及び左辺部４１ｄに挟まれた角と、これと対角線上の位置である、前辺部４１ａ及び右辺部４１ｃに挟まれた角にそれぞれ設置される。ガイド板５０は、長方形状の板部材であり、支持面４２から垂直方向に延在して設置される。ガイド板５０により、トップカバー７０をベース部４０に取付ける際に、互いの位置関係がガイドされる。またトップカバー７０の強度も補強される。
【００６１】
ベース部４０の設置面１０１ｆ側について説明する。図５は、その説明のための図であり、支持面４２に画像表示装置２０が保持された状態で、設置面１０１ｆ側を上方に向けた状態の図である。
【００６２】
図５Ａに示すように、接続金具５１には、天吊り金具２が接続される。本実施形態では、接続金具５１には、三角形の各頂点の位置（ボス６６の近傍）にネジ孔６０が形成され、その位置でネジ止めされることで、接続金具５１と天吊り金具２が接続される。３点にてネジ止めされることで、安定して、これらを接続することができる。天吊り金具２がネジ止めされた後、天井１に取付けられた天吊り金具の本体部分に、天吊り金具２を装着される。これにより画像表示装置２０を保持した状態のベース部４０が、天井１に設置される。
【００６３】
本実施形態において、接続金具５１は、保持部及び接続部として機能する。また天吊り金具２（本体部分も含む）は、外部の取付部に相当する。接続金具５１、天吊り金具２、天吊り金具の本体等の構成や、これらを接続する方法等は限定されない。
【００６４】
図５Ｂに示すように、開口４４は、左辺部４１ｄと接続金具５１との間に形成される。開口４４は、画像表示装置２０に接続される電源ケーブル等を、外部に引き出すために形成される。図５Ｂに示すように、ベース部４０の支持面４２に画像表示装置２０が設置された場合に、設置面１０１ｆ側から開口４４を介して、電源ケーブル等が接続される端子３０が見える。開口４４は、画像表示装置２０の端子３０の位置等に合わせて、位置や形状等が適宜設計される。
【００６５】
図５Ａに示すように、開口カバー５２は、外部側から開口４４を覆う。開口カバー５２の左側の辺部５２ａは、左辺部４１ｄに沿って延在し、設置面１０１ｆとの間に隙間が形成されるように、上方に突出している。この設置面１０１ｆと開口カバー５２との間のスペースが、電源ケーブル等を引き出すための引出口６１となる。具体的には、開口４４の左側の一部の周縁部４４ａと、開口カバー５２の左側の辺部５２ａの内側にあたる、周縁部４４ａと対向する対向部５２ｂとの間に、引出口６１が形成される。左辺部４１ｄ側から見た引出口６１の形状は、長方形状となる。
【００６６】
引出口６１からは１以上のケーブルを引出しつつ、外部の塵埃等の侵入を防止することが求められる。この目的を達成するために、引出口６１には、防塵構造部５３が設置される。
【００６７】
図６は、引出口６１に設置される防塵構造部５３の構成例を示す概略図である。防塵構造部５３は、開口４４の周縁部４４ａに設置される保持側クッション部材６２と、開口カバー５２の対向部５２ｂに設置される密着側クッション部材６３とを有する。
【００６８】
図６Ｂに示すように、保持側クッション部材６２は、略直方体形状を有する第１の保持側クッション６２ａと、同じく略直方体形状を有し、長手方向の大きさが第１の保持側クッション６２ａと略等しい第２の保持側クッション６２ｂとを有する。
【００６９】
第１の保持側クッション６２ａは、開口４４に隣接して配置され、設置面１０１ｆに当接する面を下面Ｕ１、その反対側を上面Ｔ１とすると、上面Ｔ１から下面Ｕ１にかけて複数のスリットＳが形成される。複数のスリットＳは、第１の保持側クッション６２ａの長手方向に並び、短手方向に延在するように形成される。当該スリットＳの延在方向である短手方向が、引出口６１から外部へ向かう方向に合わせられる。
【００７０】
第２の保持側クッション６２ｂは、第１の保持側クッション６２ａの外部側の側面に沿うように隣接して配置される。第２の保持側クッション６２ｂの設置面１０１ｆに当接する面を下面Ｕ２とし、その反対側を上面Ｔ２とする。そうすると図６Ｃに示すように、設置面１０１ｆを基準として、第２の保持側クッション６２ｂの上面Ｔ２高さは、第１の保持側クッション６２ａの上面Ｔ１の高さよりも低く設定される。また第２の保持側クッション６２ｂの上面Ｕ２の高さは、第１の保持側クッション６２ａに形成された複数のスリットＳの、下端の高さよりも高く設定される。
【００７１】
例えば第１の保持側クッション６２ａの上面Ｔ１の高さをＬｍｍとして、スリットＳの深さ（上面Ｔ１から下面Ｕ１に向かう切込み大きさ）がＭｍｍとする。そうすると、スリットＳの下端の高さは、Ｌｍｍ−Ｍｍｍとなる。この場合、第２の保持側クッション６２ｂの上面Ｔ２の高さＮｍｍは、Ｌｍｍ−Ｍｍｍ＜Ｎｍｍ＜Ｌｍｍに設定される。なお典型的には、Ｌｍｍ＞Ｎｍｍであり、例えばＮｍｍ＝２／３Ｌｍｍに設定される。もちろんこれに限定されるわけではない。
【００７２】
図６Ａに示すように、密着側クッション部材６３は、開口カバー５２を取付けたときに第１の保持側クッション６２ａの上面Ｔ１に密着する略直方体形状の第１の密着側クッション６３ａと、第２の保持側クッション６２ｂの上面Ｔ２に密着する略直方体形状の第２の密着側クッション６３ｂとを有する。また密着側クッション部材６３は、第１及び第２の密着側クッション６３ａ及び６３ｂの両端部に形成された側方密着クッション６４を有する。側方密着クッション６４は、開口カバー５２が取付けられた際に、第１及び第２の保持側クッション６２ａ及び６２ｂの両端部に側方から密着し、引出口６１の両端部を密閉する。
【００７３】
図６Ｃ示すように、開口カバー５２の対向部５２ｂに当接する面を下面とし、その反対側の面を上面とすると、第１の密着側クッション６３ａの上面Ｔ３が、第１の保持側クッション６２ａの上面Ｔ１に密着する。また第２の密着側クッション６３ｂの上面Ｔ４が、第２の保持側クッション６２ｂの上面Ｔ２に密着する。第１の密着側クッション６３ａの上面Ｔ３の高さは、第２の密着クッション６３ｂの上面Ｔ４の高さよりも低く設定される。
【００７４】
その高さの差は、第１及び第２の保持側クッション６２ａ及び６２ｂの各々の上面Ｔ１及びＴ２の高さの差に応じて設定される。例えば開口カバー５２を取付けた際に、第１及び第２の密着側クッション６３ａ及び６３ｂの上面Ｔ３及びＴ４が、第１及び第２の保持側クッション６２ａ及び６２ｂの上面Ｔ１及びＴ２を押圧可能なように設定される。
【００７５】
開口４４を介して画像表示装置２０の端子３０に接続された複数のケーブルは、第１の保持側クッション６２ａのスリットＳの間に挿入され、スリットＳにより挟み込まれる。ケーブルは、スリットＳの下端付近まで挿入されるが、第２の保持側クッション６２ｂの上面Ｔ２部分では、上方に若干折り曲げられて保持される。
【００７６】
図６Ｂ及びＣに示すように、開口４４の他方の周縁部の係合部６５を軸にして、開口カバー５２が開口４４を覆うように取付けられる。第１及び第２の保持側クッション６２ａ及び６２ｂの各々の上面Ｔ１及びＴ２が、第１及び第２の密着側クッション６３ａ及び６３ｂの上面Ｔ３及びＴ４に、十分に密着される。これにより引出口６１から外部の塵埃等が侵入することを十分に防止することが可能となり、高い防塵効果を発揮することが可能となる。
【００７７】
第１及び第２の保持側クッション６２ａ及び６２ｂ、第１及び第２の密着側クッション６３ａ及び６３ｂ、側方密着クッション６４は、例えばスポンジやウレタン等からなる。その他ゴム等の封止部材が用いられてもよい。本実施形態では、スリットＳが形成される第１の保持側クッション６２ａに、硬度が高いクッション部材が用いられる。これによりスリットＳにてケーブルを十分に挟み込んで保持することが可能となる。他の部材について、比較的硬度が低いクッション部材が用いられる。これにより適当な変形を可能とし、十分な密閉効果を発揮することが可能となる。
【００７８】
図４Ａに示すように、仮止機構４９は、前辺部４１ａ及び左辺部４１ｄに挟まれた角と、これと対角線上の位置である、後辺部４１ｂ及び右辺部４１ｃに挟まれた角にそれぞれ設置される。仮止機構４９は、画像表示装置２０が保持された状態で天井１に設置されたベース部４０に、トップカバー７０を取付ける際に機能する。すなわち取付け中に、トップカバー７０が落下しないように、これを仮止めする。仮止機構の詳細については、後述する。
【００７９】
図４Ｂ、図７及び図８を参照して、トップカバー７０について説明する。トップカバー７０は、吸気口７１、フィルタブロック７２、排気口７３、係合部７４、フロントカバー７５、フィルタカバー保持部７６、透明窓７７ａ及び７７ｂ、インジケータ窓７８、及び分割クッション部７９を有する。
【００８０】
トップカバー７０は、例えばＡＢＳ樹脂等の汎用樹脂、ＰＣ樹脂、ＡＢＳとＰＣの混合樹脂等のエンジニアリングプラスチック等からなる。樹脂材料を用いることで、トップカバー７０の軽量化を図ることができる。もちろん他の材料が用いられてもよい。
【００８１】
フロントカバー７５は、画像表示装置２０の投射レンズ２２（投射部２３）を覆うように、前面部１０１ａの中央部分に配置される。フロントカバー７５は、枠部７５ａと、枠部７５ａにより形成される開口部分を密閉する例えばガラス等からなる透光カバー７５ｂとを有する。投射レンズ２２から投射される画像光は、透光カバー７５ｂを介してスクリーン等に投射される。フロントカバー７５は、本実施形態において、投射カバー部に相当する。
【００８２】
図７Ａに示すように、フロントカバー７５は、前方面１０１ａに対して、開閉可能に設けられる。前方面１０１ａの中央部分には開口８０が形成されており、フロントカバー７５は、当該開口８０を密閉するように構成される。図７Ａに示す開状態では、開口８０を介して外部から投射部２３へアクセスが可能である。これにより例えば手動によるフォーカス調整や、投射レンズ２２の交換等を、防塵装置１０を取外すことなく容易に行うことが可能となる。
【００８３】
図４Ｂ等に示す閉状態では、開口８０から外部の塵埃等が侵入することが無いように、フロントカバー７５により、開口８０が十分に密閉される。そのために例えば開口８０の周囲や、透光カバー７５ｂの周囲等に、クッション部材や密閉部材等が設けられてもよい。
【００８４】
図７Ａに例示するフロントカバー７５では、設置面１０１ｆから下面１０１ｅに向けて、フロントカバー７５が開けられる。すなわち高さ方向を開閉方向として、フロントカバー７５の開閉状態が互いに切り替えられる。これにより右側及び左側の両方から、容易に投射部２３へアクセスすることが可能である。もちろん下面１０１ｅ及び設置面１０１ｆ側からもアクセスは可能である。
【００８５】
これに代えて、開口８０の左右のいずれかの側を軸として、左右のいずれかの方向で、フロントカバー７５の開閉が行われてもよい。すなわちフロントカバー７５の開閉方向は限定されず適宜設定されてよい。またフロントカバー７５を開閉するための構造も任意に設計されてよい。
【００８６】
排気口７３は、右側面１０１ｃのほぼ全領域にわたって形成される。排気口７３は、ベース部４０に設置されるファン機構４５に対向して設けられる。排気口７３は、ベース部４０に保持される画像表示装置２０の排気口２８と同じ向きに、すなわち右側に設けられる。画像表示装置２０の排気口２８から排出された空気は、トップカバー７０の排気口７３から外部へ排出される。図４Ｂに示すように排気口７３には、庇状の羽根８１が取付けられる。
【００８７】
吸気口７１は、左側面１０１ｄのほぼ全領域わたって形成される。図７Ｂに示すように、左側面１０１ｄには、フィルタブロック７２が取外し可能に取付けられる。左側面１０１ｄにフィルタブロック７２が取付けられると、フィルタブロック７２の吸入口７２ａが、吸気口７１の一部となる。当該フィルタブロック７２の吸入口７２ａの部分が、本実施形態において、吸気口７１の第１の吸気領域７１ａとなる。一方、左側面１０１ｄの後方側に固定して形成された部分が、吸気口７１の第２の吸気領域７１ｂとなる。
【００８８】
フィルタブロック７２が取付けられると、第１の吸気領域７１ａと、図３に示す第１の供給口２７ａとが対向することになり、フィルタブロック７２の排出口７２ｂと、第１の供給口２７ａとが連通される。第１の吸気領域７１ａから吸入された空気は、第１の供給口２７ａを介して、光源を含む光学系に供給される。
【００８９】
図８に示すように、フィルタブロック７２は、開閉可能な蓋部８２を有する筐体部８３と、筐体部８３内に収容されるフィルタ部８４を有する。蓋部８２側が、フィルタブロック７２の排出口７２ｂとなる。本実施形態では、折り込まれた濾紙からなるフィルタ部分を２箇所有するフィルタ８４ａが２枚重ねられて、筐体部８４内に収容される。これにより塵埃等が十分に除去された清浄な空気を光学系に供給することが可能となる。なおフィルタ部８４の構成は限定されず、スポンジタイプのものや帯電タイプのものが用いられてもよい。
【００９０】
第２の吸気領域７１ｂは、図３に示す第２の供給口７２ｂと対向する。第２の吸気領域７１ｂには、フィルタは設けられないので、第２の吸気領域７１ｂから流入する空気の流量が制限されることがない。従って第２の吸気領域７１ｂ、及び第２の供給口２７ｂを介して、勢いよく冷却風をヒートシンク等の冷却部に供給することが可能となる。この結果、冷却部を効率的に冷却することが可能となる。
【００９１】
フィルタカバー保持部７６は、下面１０１ｅの反対側の内側面８５の後方側に設けられる。フィルタカバー保持部７６は、ベース部４０の支持面４２に保持された画像表示装置２０の、第１の供給口２７ａをカバーするフィルタカバー３３を保持する。これにより取外されたフィルタカバー３３の置き場等を準備する必要がなく、画像生成システム１００の設置に関する作業性を向上させることが可能となる。また取外されたフィルタカバー３３の紛失等を防止することができる。フィルタカバー保持部７６の具体的な構成は限定されない。
【００９２】
透明窓７７ａ及び７７ｂは、前方面１０１ａ及び後方面１０１ｂにそれぞれ設けられる。前方面１０１ａの透明窓７７ａを介して、画像表示装置２０のインジケータ２４が確認可能である。また透明窓７７ａを介してリモコン制御のためのＩＲ受信部２５に、制御信号が送信可能である。後方面１０１ｂの透明窓７７ｂは、画像表示装置２０の後方面２１ｂに設置されたＩＲ受信部２５に、制御信号を送信可能とするために設置される。
【００９３】
インジケータ窓７８は、図４Ａに示すファン５８の駆動状態を示すＬＥＤ５９が確認可能な位置に形成される。例えばファン５８がスタンバイ状態では赤色が点灯され、ファン５８の故障時には赤色が点滅表示される。ファン５８が正常に駆動している場合には、緑色が点灯される。インジケータとなるＬＥＤ５９により、ファン５８の駆動状態を容易に確認することが可能となる。
【００９４】
係合部７４は、ベース部４０に設置された仮止機構４９と係合する部分である。係合部７４は、トップカバー７０内の前方面１０１ａ及び左側面１０１ｄに挟まれた角と、これと対角線上の位置である、後方面１０１ｂ及び右側面１０１ｃに挟まれた角にそれぞれ設置される。係合部７４の詳細については、後述する。
【００９５】
図９−図１１は、分割クッション部７９を説明するための図である。図４Ｂに示すように、分割クッション部７９は、トップカバー７０の内側面８５に設置される。ベース部４０に保持された画像表示装置２０を覆うように、トップカバー７０が取付けられると、図９及び図１０に示すように、分割クッション部７９が、画像表示装置２０の下面２１ｅや、ファン保持部４５ａに密着することになる。
【００９６】
図９及び図１０に示すように、分割クッション部７９は、第１−第３のクッション部材７９ａ−７９ｃを有する。第１のクッション部材７９ａは、画像表示装置２０の下面２１ｅの後方側を、左側面２１ｄから右側面２１ｃの全体にわたって密着する。
【００９７】
第２のクッション部材７９ｂは、ファン保持部４５ａの上側（設置時には下側）の面全体に密着する。第３のクッション部材７９ｃは、略Ｌ字形状を有し、第２のクッション部材７９ｂ上の全領域、及び第１のクッション部材７９ａの左端の領域の上に重ねられる。第１のクッション部材７９ａの左端以外の領域と、第３のクッション部材７９ｃの全領域とが、トップカバー７０の内側面８５に当接する部分である。
【００９８】
分割クッション部７９は、上記した空気分離部５７と同様に、本実施形態において、分割部の一部として機能する。分割部は、図１１に示すように、内部空間を、第１の領域である清浄空気エリアＣＡと、第２の領域である通常空気エリアＮＡに分割する機能を有する。図１１では、両エリアの境界が、Ｌ字のラインＬ１により表現されている。画像表示装置２０の大部分を含むラインＬに囲まれた領域が清浄空気エリアＣＡとなる。ラインＬの外側の領域が通常空気エリアＮＡとなる。なお清浄空気エリアＣＡ及び通常空気エリアＮＡは、ベース部４０に画像表示装置２０が保持され、トップカバー７０が取付けられることで、空間的に隔てられる。
【００９９】
図９及び図１０に示すように、空気分離部５７に、画像表示装置２０の後方側の部分が設置される。図９Ａに示すように画像表示装置２０は、空気分離部５７の左側の側面分離部５７ｃが、第１及び第２の供給口２７ａ及び２７ｂの境界の位置に合わせられる。図１０に示すように、後方から見ると、画像表示装置２０と空気分離部５７とは、間に設置されたクッション部材により、隙間なく密着して設置される。
【０１００】
図９Ａに示す側面分離部５７ｃの前方側が清浄空気エリアＣＡとなり、後方側が通常空気エリアＮＡとなる。すなわち分割部は、第１の供給口２７ａが清浄空気エリアＣＡに含まれ、第２の供給口７２ｂが通常空気エリアＮＡに含まれるように、両エリアを分割する。
【０１０１】
なお側面分離部５７ｃの前方側の左辺部４１ｄの近傍や、側面分離部５７ｃと左辺部４１ｄとの間のスペースには、フィルタブロック７２が配置されるので、清浄空気エリアＣＡと通常空気エリアＮＡは適正に隔てられる。なお側面分離部５７ｃの根元の部分から左辺部４１ｄにかけて、両エリアを分割するためのクッション部材８６が設置されている。
【０１０２】
図９Ｂに示す右側の側面分離部５７ｂの前方側であって、ファン機構４５よりも内部側の領域が、清浄空気エリアＣＡとなる。側面分離部５７ｂの後方側と、ファン機構４５から排気口７３までの領域は、通常空気エリアＮＡとなる。ファン５８が動作するので、塵埃等が逆流することはない。
【０１０３】
図１０に示すように、トップカバー７０が取付けられると、画像表示装置２０は、左右の側面分離部５７ｂ及び５７ｃ、底面分離部５７ａ、及び第１のクッション部材７９ａにより周囲が囲まれる。これらの部材により、清浄空気エリアＣＡと通常空気エリアＮＡとは、適正に分離される。
【０１０４】
本実施形態では、図９Ａに示すクッション部材８６、ファン機構４５やフィルタブロック７２の一部も、分割部として機能する。
【０１０５】
図１１に示すように、空気清浄エリアＣＡには、フィルタブロック７２により塵埃等が除去された清浄な空気Ｗ１が吸入され、第１の供給口２７ａを介して光学系に供給される。通常空気エリアＮＡには、第２の吸気領域７１ｂを介して流量の高い空気Ｗ２が供給され、冷却部が効率よく冷却される。このように清浄な空気を供給すべきエリアを限定し、通常の空気の供給でも問題ないエリアと分割することで、フィルタブロック７２内のフィルタ部８４の負担を軽減することが可能となる。すなわちフィルタ部８４（フィルタブロック７２）の小型化を図ることができ部品コストを減らすことができる。またフィルタ部８４の寿命を延ばすことが可能となる。
【０１０６】
なおフィルタブロック７２が取り外し可能に構成され、フィルタブロック７２の吸入口７２ａ（第１の吸気領域７１ａ）と画像表示装置２０の第１の供給口２７ａとが互いに対向して配置される。また第２の吸気領域７１ｂと画像表示装置２０の第２の供給口２７ｂとが互いに対向して配置される。従って図７Ａに示すように、フィルタブロック７２を取外すことで、簡単に第１の供給口２７ａにアクセスすることが可能となる。この結果、防塵装置１０を取外すことなく、簡単に第１の供給口２７ａに設けられたフィルタの交換等を含むメンテナンスを行うことができる。なおフィルタの外側に取付けられるフィルタカバー３３は取外され、トップカバー７０内部のフィルタカバー保持部７６に保持されている。
【０１０７】
図１２は、トップカバー７０に設けられる係合部７４、及びベース部４０に設けられる仮止機構４９の各々の構成例を示す概略図である。図１２Ａに示すように、係合部７４は、トップカバー７０の角に形成された、中空状の柱部７４ａと、柱部７４ａの主面７４ｂに形成された三角形状の係合孔７４ｃとを有する。柱部７４ａは、トップカバー７０の内側面８５から高さ方向に延在して設けられる。その高さは、仮止機構４９との係合により所定の位置で仮止めが可能な位置に適宜設定される。
【０１０８】
図１２Ｂに示すように、仮止機構４９は、ベース部４０の支持面４２に固定される固定板８７と、支持面４２付近で固定板８７にネジ止めされる支持部材（第２の部材）８８と、支持部材８８にネジ止めされる可動部材（第１の部材）８９とを有する。可動部材８９の先端には、ベース部４０の角から中心に向かう方向に向けて突出する突出部９０が形成される。当該方向は、本実施形態において所定の方向に相当し、以下、突出方向と記載する。仮止機構４９の突出部９０と、係合部７４の係合孔７４ｃとが係合することで、ベース部４０に対するトップカバー７０の仮止めが実現される。
【０１０９】
図１３は、支持部材８８及び可動部材８９の構成例を示す概略図である。支持部材８８は、長方形状の板部材を変形させたもので、図１２Ｂに示す固定板８７に接続される下部接続部８８ａと、可動部材８９に接続される上部接続部８８ｂと、これらを連結する中間連結部８８ｃとを有する。下部接続部８８ａ及び上部接続部８８ｂは、それぞれ高さ方向に延在する。中間連結部８８ｃは、突出方向と反対方向に向けて斜めに構成される。従って上部接続部８８ｂ、及びこれに接続される可動部材８９は、下部接続部８８ａよりも外部側に配置されることになる。
【０１１０】
可動部材８９は、長方形状の板部材を変形させたもので、上部接続部８８ｂに接続される中央部８９ａと、突出部９０と、係合解除部９１とを有する。中央部８９の略中央の位置に、上部接続部８８ｂがネジ止めにより接続される。当該位置は、本実施形態において、所定の位置に相当し、以下、接続位置と記載する。
【０１１１】
突出部９０は、中央部８９の上方側（ベース部４０から離れた側）の端部に連結して形成される。突出部９０は、係合孔７４ｃと係合する係合面９０ａと、係合面９０ａに連結する押圧面９０ｂとを有する。係合面９０ａは、中央部８９ａから突出方向に延在するように形成され、その面方向は、ベース部４０の支持面４２の面方向と略平行となる。
【０１１２】
押圧面９０ｂは、係合面９０ａの突出方向の先端から上方側に向けて斜めに折り返されて形成される。押圧面９０ｂは、係合部７４の主面７４ｂの一部に押圧される部分となる。係合解除部９１は、中央部８９ａの下方側（ベース部４０に近い側）の端部に連結して形成される。係合解除部９１は、ユーザにより操作される部分である。
【０１１３】
可動部材８９は、ベース部４０には固定されず、中央の接続位置にて、支持部材８８にネジ止めされる。従って突出部９０は、接続位置を軸として、突出方向及びその反対方向に、所定の範囲で移動可能となっている。例えば突出部９０に突出方向の反対方向に力を加えると、突出部９０は力が加えられた方向に移動する。
【０１１４】
その際には、上部接続部８８ｂ及び中間連結部８８ｃも、力が加えられた方向に若干変形する。そうすると、上部接続部８８ｂ及び中間連結部８８ｃの各々の剛性により、突出部９０を元の位置に戻す、すなわち突出方向に移動させる向きに力が発生する。すなわち支持部材８８は、板バネ構造を有しており、突出部９０を移動可能に、また反対方向に押された突出部９０を突出方向に付勢可能に構成されている。
【０１１５】
図１４は、係合部７４と仮止機構４９とが係合して仮止めが行われる場合の動作例を示す模式図である。まず画像表示装置２０が保持された状態で天井１に設置されたベース部４０に向けて、トップカバー７０が持ち上げられる。図１４Ａに示すように、係合部７４の主面７４ｂが、突出部９０の押圧面９０ｂに当接する。図１４Ｂに示すように、トップカバー７０が引き続き持ち上げられると、押圧面９０ｂへの押圧に応じて、突出部９０が突出方向の反対方向に移動する。主面７４ｂは傾斜している押圧面９０ｂに沿って移動し、押圧面９０ｂは係合孔７４ｃに挿入されていく。
【０１１６】
主面７４ｂが押圧面９０ｂの下端部分（最も突出している部分）を過ぎると、押圧面９０ｂへの押圧が解除される。図１４Ｃに示すように、支持部材８８から加えられる付勢力により突出部９０が突出方向に移動され、突出部９０の係合面９０ａと、係合孔７４ｃの内側の面とが当接する。これにより突出部９０と係合孔７４ｃとが係合され、仮止めが実現される。従ってトップカバー７０をベース部４０に近づけることで、自動的に仮止め状態となるので、非常に高い作業性が発揮される。
【０１１７】
トップカバー７０を取外す場合には、ベース部４０に対するトップカバー７０の仮止めを解除する必要がある。図１３及び図１４に示す係合解除部９１が押圧される。これにより突出部９０が、突出方向とは反対方向に移動し、突出部９０と係合孔７４ｃとの係合が解除される。この結果、シンプルな操作で簡単に仮止めを解除することが可能である。
【０１１８】
本実施形態では、仮止めが可能であるので、画像表示装置２０が保持された状態のベース部４０に対してトップカバー７０を取付ける際に、トップカバー７０の落下を防止しつつ安全に取付けを行うことが可能となる。この結果、天井１への取付けに関して高い作業性を発揮することができる。
【０１１９】
係合部７４及び仮止機構４９の構成は、上記で説明したものに限定されない。例えば突出部９０を移動可能に、また付勢可能に支持する構成として、他のバネ等やゴム等の弾性部材等が用いられてもよい。その他、ベース部４０に対するトップカバー７０の仮止めを実現するための任意の構成が採用されてよい。
【０１２０】
［画像表示システムの取付方法］
画像表示システム１００の取付方法の一例を説明する。まず所定の面上に、支持脚５４が当接されるように、ベース部４０を設置する（図４の図示通りの状態）。ベース部４０の支持面４２上に、画像表示装置２０が設置される。この状態は、例えば図９の図示通りの状態である（分割クッション部７９はない）。接続金具５１やガイド金具５６により、画像表示装置２０がベース部４０に十分に保持される。
【０１２１】
画像表示装置２０が保持された状態で、ベース部４０がひっくり返され、上下の向きが反対にされる。画像表示装置２０の上下の向きも反対となり、画像表示装置２０は、上方から支持される形となる（図５の図示通りの状態）。図５Ａに示すように、接続金具５１に天吊り金具２が接続され、天井１に取付けられた天吊り金具の本体部分にベース部４０が取付けられる。
【０１２２】
図５Ｂに示すように、開口カバー５２が開けられ、電源ケーブル等を含む１以上のケーブルが、開口４４を介して、画像表示装置２０に接続される（ケーブルの図示は省略）。防塵構造部５３の第１の保持側クッション６２ａのスリットＳの間にケーブルが挿入され、開口カバー５２が閉じられる。電源ケーブル及び図１Ｂに示すＡＣアダプタの５５のコンセントケーブルが、天井１に設けられたコンセントに接続される。これにより画像表示装置２０、及び防塵装置１０の制御部４６に電力が供給される。この状態で、画像表示装置２０の動作状態や、防塵装置１０のファン５８の動作状態が確認されてもよい。
【０１２３】
トップカバー７０がベース部４０に向けて持ち上げられる。図１４に示した通り、ベース部４０に対してトップカバー７０が、自動的に仮止め状態となる。図４Ａ及びＢに示す、ベース部４０の縁部、及びトップカバー７０の縁部にそれぞれ設けられた複数のビス孔９２の位置が合わせられ、各ビス孔９２に固定ビスが取付けられる。これによりトップカバー７０の取付けが完了し、画像表示システム１００の天井１への取付けが完了する。なお固定ビスは、工具不要で取付け可能であってもよい。これにより簡単にトップカバー７０をベース部４０に取付けることが可能である。
【０１２４】
以上、本実施形態に係る画像表示システム１００では、防塵装置１０のベース部４０に画像表示装置２０を保持する接続金具５１及びガイド金具５６が設けられ、これらに画像表示装置２０が保持された状態で、トップカバー７０がベース部４０に取付けられる。これにより例えばシーリングライトの取付けと略同様の方法及び感覚で、画像表示システム１００を天井１に設置することが可能となる。またトップカバー７０も、シーリングライトのカバーと同様の扱いをすることが可能となる。
【０１２５】
例えば特許文献１に記載のように、外部筐体にプロジェクタが設置された状態で、これらが天吊り金具に取付けられる場合には、非常に重量のある外部筐体及びプロジェクタを保持しながら、天吊り金具への取付けを行わなければならない。この結果、取付時間が長くなったり、取付けのための労力が大きくなってしまう。また取付時に、外部筐体及びプロジェクタが落下してしまう可能性も高い。さらに外部筐体及びプロジェクタの重量を鑑みると、シンプルな構成で仮止めを実現することも非常にむずかしい。
【０１２６】
本技術では、上記のような問題が発生することを防止することが可能であり、画像表示システム１００の天井１等への設置に関して、非常に高い作業性を発揮することができる。またトップカバー７０により画像表示装置２０を保持する必要が無いので、トップカバー７０を樹脂材料により構成することが可能となり、軽量化を図ることが可能となる。
【０１２７】
＜その他の実施形態＞
本技術は、以上説明した実施形態に限定されず、他の種々の実施形態を実現することができる。
【０１２８】
ベース部及びトップカバーの構成は上記で説明したものに限定されず、適宜設定可能である。例えばトップカバーにファン機構が組み込まれてもよい。
【０１２９】
防塵装置内に、コンセントが設置され、当該コンセントに画像表示装置の電源ケーブルが接続されてもよい。当該コンセントには、防塵装置の制御部により、電力が供給される。このような構成を採用することで、天井のコンセントには、ＡＣアダプタのコンセントケーブルのみを接続すればよいので、設置の作業性が向上する。また制御部からの電力の供給状態をもとに、画像表示装置の駆動状態を判定することも可能となる。
【０１３０】
本技術に係る防塵装置は、プロジェクタ等の画像表示装置以外の装置にも適用可能である。また本技術に係る画像表示システムが設置される対象は天井に限定されるわけではなく、所定の装置の下面等に設置される場合等も有り得る。
【０１３１】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１３２】
なお、本技術は以下のような構成も採ることができる。
（１）外部の取付部に接続される接続部と、画像表示装置を保持する保持部とを有するベース部と、
吸気口と、前記吸気口に設けられるフィルタ部と、前記吸気口から吸入された空気を排出する排気口とを有し、前記保持部に保持された前記画像表示装置を覆うように、前記ベース部に取付けられるカバー部と
を具備する防塵装置。
（２）（１）に記載の防塵装置であって、さらに、
前記排気口に設けられるファン部を具備する
防塵装置。
（３）（１）又は（２）に記載の防塵装置であって、さらに、
前記画像表示装置を覆うように前記ベース部に前記カバー部が取付けられることで形成される内部空間を、第１の領域、及びこれと異なる第２の領域に分割する分割部を具備し、
前記吸気口は、前記第１の領域に前記空気を吸入する第１の吸気領域と、前記第２の領域に前記吸気を吸入する第２の吸気領域とを有し、
前記フィルタ部は、前記吸気口の前記第１の吸気領域に設けられる
防塵装置。
（４）（３）に記載の防塵装置であって、
前記画像表示装置は、光源を含む光学系に前記空気を供給するための第１の供給口と、前記光源を冷却するための冷却部に前記空気を供給するための第２の供給口とを有し、
前記分割部は、前記第１の供給口が前記第１の領域に含まれ、前記第２の供給口が前記第２の領域に含まれるように、前記第１及び前記第２の領域を互いに分割する
防塵装置。
（５）（３）又は（４）に記載の防塵装置であって、
前記フィルタ部は、前記吸気口から取り外し可能に構成され、
前記第１の吸気領域は、前記第１の供給口に対向して配置され、
前記第２の吸気領域は、前記第２の供給口に対向して配置される
防塵装置。
（６）（１）から（５）のうちいずれか１つに記載の防塵装置であって、
前記ベース部は、開口と、前記画像表示装置に接続される１以上のケーブルを外部に引き出すための引出口が形成されるように、外部側から前記開口を覆う開口カバーと、前記引出口に設けられる防塵構造部とを有する
防塵装置。
（７）（６）に記載の防塵装置であって、
前記引出口は、前記開口の一部の周縁部と、前記開口カバーの前記一部の周縁部に対向する対向部の間に形成され、
前記防塵構造部は、前記一部の周縁部に設けられ、前記１以上のケーブルの各々を挟む１以上のスリットを有する保持側クッション部材と、前記開口カバーの前記対向部に設けられ、前記保持側クッション部材に密着する密着側クッション部材とを有する
防塵装置。
（８）（７）に記載の防塵装置であって、
前記保持側クッション部材は、
略直方体の形状を有し、上面から下面に向けて形成され長手方向に並び短手方向に延在する前記１以上のスリットを有し、前記短手方向が前記前記引出口から外部へ向かう方向に合わせられて配置された第１の保持側クッションと、
長手方向の大きさが前記第１の保持側クッションと略等しい略直方体の形状を有し、前記第１の保持側クッションの外部側の側面に沿うように隣接して配置された第２の保持側クッションとを有し、
前記密着側クッション部材は、前記第１及び前記第２の保持側クッションの各々の上面に密着する
防塵装置。
（９）（８）に記載の防塵装置であって、
前記第２の保持側クッションの前記上面の高さは、前記第１の保持側クッションの前記上面の高よりも低く、前記第１の保持側クッションに形成された前記１以上のスリットの下端の高さよりも高い
防塵装置。
（１０）（１）から（９）のうちいずれか１つに記載の防塵装置であって、
前記カバー部は、１以上の係合部を有し、
前記ベース部は、前記１以上の係合部と係合して前記カバー部を仮止めする１以上の仮止部を有する
防塵装置。
（１１）（１０）に記載の防塵装置であって、
前記仮止部は、
前記係合部と係合する係合面と前記係合部に押圧される押圧面とを有し所定の方向に向けて突出する突出部を含む第１の部材と、
前記第１の部材の所定の位置にて、前記押圧面が押圧された際に前記突出部が前記所定の方向とは反対方向に移動可能に、また前記係合部による押圧が解除した際に前記係合面が前記係合部に係合するように前記突出部を前記所定の方向に移動可能に、前記第１の部材を支持する第２の部材とを有する
防塵装置。
（１２）（１１）に記載の防塵装置であって、
前記第１の部材は、押圧することで、前記係合部と係合する前記突出部を前記所定の方向とは反対側に移動させることが可能な係合解除部を有する
防塵装置。
（１３）（１）から（１２）のうちいずれか１つに記載の防塵装置であって、さらに、
前記排気口に設けられるファン部と、前記ファン部の駆動を制御する制御部と、前記吸気口の付近の前記空気の第１の温度、及び前記排気口の付近の前記空気の第２の温度をそれぞれ測定可能なセンサ部とを具備し、
前記制御部は、前記センサ部により測定された前記第１及び前記第２の温度の差をもとに、前記ファン部の駆動を制御する
防塵装置。
（１４）（１）から（１３）のうちいずれか１つに記載の防塵装置であって、
前記カバー部は、前記画像表示装置の投射部を覆う、開閉可能に設けられる投射カバー部を有する
防塵装置。
【符号の説明】
【０１３３】
ＣＡ…清浄空気エリア
ＮＡ…通常空気エリア
Ｓ…スリット
１…天井
２…天吊り金具
１０…防塵装置
２０…画像表示装置
２３…投射部
２７…吸気口
２７ａ…第１の供給口
２７ｂ…第２の供給口
２８…排気口
４０…ベース部
４３…保持機構
４４…開口
４４ａ…周縁部
４５…ファン機構
４６…制御部
４８…センサ部
４９…仮止機構
５１…接続金具
５２…開口カバー
５２ｂ…対向部
５３…防塵構造部
５７…空気分離部
６１…引出口
６２…保持側クッション部材
６２ａ…第１の保持側クッション
６２ｂ…第２の保持側クッション
６３…密着側クッション部材
７０…トップカバー
７１…吸気口
７１ａ…第１の吸気領域
７１ｂ…第２の吸気領域
７２…フィルタブロック
７３…排気口
７４…係合部
７４ｃ…係合孔
７５…フロントカバー
７９…分割クッション部
８４…フィルタ部
８６…クッション部材
８８…支持部材
８９…可動部材（第１の部材）
９０…突出部
９０ａ…係合面
９０ｂ…押圧面
９１…係合解除部
１００…画像表示システム
【図１】
2017098677.tif 000003
【図２】
2017098677.tif 000004
【図３】
2017098677.tif 000005
【図４】
2017098677.tif 000006
【図５】
2017098677.tif 000007
【図６】
2017098677.tif 000008
【図７】
2017098677.tif 000009
【図８】
2017098677.tif 000010
【図９】
2017098677.tif 000011
【図１０】
2017098677.tif 000012
【図１１】
2017098677.tif 000013
【図１２】
2017098677.tif 000014
【図１３】
2017098677.tif 000015
【図１４】
2017098677.tif 000016
【国際調査報告】
2017098677.tif 000017
2017098677.tif 000018
2017098677.tif 000019
2017098677.tif 000020